(57)【要約】【課題】デジタル顕微鏡装置またはホールスライドイメージ作成装置の撮像素子から出力される撮像信号に基づき表示される病理標本の画像のカラーバランス、及び病理標本を照明する照明光のカラーバランスの較正に用いられるＬＥＤを内蔵した病理標本型光デバイスを提供する。【解決手段】矩形状の平板ベース材４と、前記平板ベース材４の一方の面に配置されたＬＥＤ６と、前記平板ベース材４に配置された前記ＬＥＤ６の光量を調整する調整部８と、前記ＬＥＤ６に電力を供給する電源１２とを備える。【選択図】図１
2016145867.tif 000002
【特許請求の範囲】
【請求項１】
矩形状の平板ベース材と、
前記平板ベース材の一方の面に配置されたＬＥＤと、
前記平板ベース材に配置された前記ＬＥＤの光量を調整する調整部と、
前記ＬＥＤに電力を供給する電源と
を備えることを特徴とする病理標本型光デバイス。
【請求項２】
前記調整部を遠隔操作する外部装置と通信可能な通信部を備えることを特徴とする請求項１記載の病理標本型光デバイス。
【請求項３】
前記ＬＥＤは、赤色ＬＥＤ、緑色ＬＥＤ、青色ＬＥＤ及び白色ＬＥＤの中の少なくとも1つを含むことを特徴とする請求項１または２に記載の病理標本型光デバイス。
【請求項４】
前記平板ベース材は金属部材で形成されていることを特徴とする請求項１〜３の何れか一項に記載の病理標本型光デバイス。
【請求項５】
前記平板ベース材の他方の面には、ヒートシンクが形成されていることを特徴とする請求項１〜４の何れか一項に記載の病理標本型光デバイス。
【請求項６】
前記平板ベース材は病理標本と略同等なサイズを有することを特徴とする請求項１〜５の何れか一項に記載の病理標本型デバイス。
【請求項７】
フルカラーＬＥＤから射出される照明光により病理標本を照明し拡大観察する顕微鏡であって、
前記病理標本を染色する染色試薬の色に基づいて前記フルカラーＬＥＤを構成する赤色ＬＥＤ、緑色ＬＥＤ及び青色ＬＥＤのそれぞれの光量を調整する光量調整部を備えることを特徴とする顕微鏡。
【請求項８】
前記染色試薬の種類を指定する指定部を備え、
前記光量調整部は、前記指定部により前記染色試薬の種類が指定された場合に、前記フルカラーＬＥＤから射出される照明光が前記染色試薬により染色された前記病理標本の色または前記染色試薬により染色された前記病理標本の色の補色となるように、前記赤色ＬＥＤ、前記緑色ＬＥＤ及び前記青色ＬＥＤのそれぞれの光量を調整することを特徴とする請求項７記載の顕微鏡。
【発明の詳細な説明】
【技術分野】
【０００１】
本発明は、デジタル顕微鏡装置またはホールスライドイメージ作成装置において、撮像素子から出力される撮像信号に基づき表示される病理標本の画像のカラーバランス、及び病理標本を照明する照明光のカラーバランスの較正に用いられる病理標本型光デバイス、並びに病理標本を拡大観察するための顕微鏡に関するものである。
【背景技術】
【０００２】
近年、病理学の分野等において、光学顕微鏡によって観察される画像をデジタルデータ化し、ディスプレイ上で観察する装置が用いられている。現在、このような装置としては、デジタル顕微鏡装置やホールスライドイメージ作成装置等が存在し、がん対策における先端技術として注目されはじめている。
【０００３】
ここで、デジタル顕微鏡装置は、病理標本をデジタルカメラを介してディスプレイで観察できるようにした光学顕微鏡である。また、ホールスライドイメージ作成装置は、病理標本が封入されたスライドガラス（プレパラート）において病理標本全体を撮影し、デジタル画像データを生成する装置であり、画像全体がデジタル化されてハードディスクやＤＶＤ等に蓄積される。なお、ホールスライドイメージ作成装置の具体例としては、例えば、特許文献１に記載されたスライド画像データ作成装置が知られている。
【先行技術文献】
【特許文献】
【０００４】
【特許文献１】特開２０１０−２０３２９号公報
【発明の概要】
【発明が解決しようとする課題】
【０００５】
ところで、デジタル顕微鏡装置やホールスライドイメージ作成装置においては、病理標本を撮影する撮影装置、撮影結果を表示するディスプレイ装置等の色再現性の違い及び病理標本を照明する照明装置の種類や照明装置から病理標本までの間の光路内に配置されているフィルタの影響等により病理標本が異なった色で観察されることから正確な病理診断を行うことが困難になる場合があった。
【０００６】
本発明の目的は、デジタル顕微鏡装置またはホールスライドイメージ作成装置の撮像素子から出力される撮像信号に基づき表示される病理標本の画像のカラーバランス、及び病理標本を照明する照明光のカラーバランスの較正に用いられるＬＥＤを内蔵した病理標本型光デバイス、並びに顕微鏡を提供することである。
【課題を解決するための手段】
【０００７】
本発明の病理標本型光デバイスは、矩形状の平板ベース材と、前記平板ベース材の一方の面に配置されたＬＥＤと、前記平板ベース材に配置された前記ＬＥＤの光量を調整する調整部と、前記ＬＥＤに電力を供給する電源とを備えることを特徴とする。
【０００８】
また、本発明の顕微鏡は、フルカラーＬＥＤから射出される照明光により病理標本を照明し拡大観察する顕微鏡であって、前記病理標本を染色する染色試薬の色に基づいて前記フルカラーＬＥＤを構成する赤色ＬＥＤ、緑色ＬＥＤ及び青色ＬＥＤのそれぞれの光量を調整する光量調整部を備えることを特徴とする。
【発明の効果】
【０００９】
本発明によれば、デジタル顕微鏡装置またはホールスライドイメージ作成装置の撮像素子から出力される撮像信号に基づき表示される病理標本の画像のカラーバランス、及び病理標本を照明する照明光のカラーバランスの較正に用いられるＬＥＤを内蔵した病理標本型光デバイス、並びに顕微鏡を提供することができる。
【図面の簡単な説明】
【００１０】
【図１】第１の実施の形態に係る病理標本型光デバイスを上方から視た図である。
【図２】第１の実施の形態に係る病理標本型光デバイスの断面を示す図である。
【図３】第１の実施の形態に係るデジタル顕微鏡装置の構成を示すブロック図である。
【図４】第１の実施の形態に係る病理標本型光デバイスを用いて表示部に表示される病理標本の画像のカラーバランスを較正するカラーバランス較正処理について説明するためのフローチャートである。
【図５】第１の実施の形態に係る病理標本を照明する照明光のカラーバランスを較正するカラーバランス較正処理について説明するためのフローチャートである。
【図６】第２の実施の形態に係る病理標本型光デバイスを上方から視た図である。
【図７】実施の形態に係る他の病理標本型光デバイスの構成を示す図である。
【図８】第３の実施の形態に係るデジタル顕微鏡装置の構成を示すブロック図である。
【発明を実施するための形態】
【００１１】
以下、図面を参照して第１の実施の形態に係る病理標本型光デバイスについて説明する。図１は、第１の実施の形態に係る病理標本型光デバイスを上方から視た図であり、図２は、その断面を示す図である。図１、２に示すように、病理標本型光デバイス２は、プレパラートと略同一の大きさの外観を有している。即ち、病理標本型光デバイス２は、アルミ材等の金属で構成された矩形状を有する平板のベース材４を備え、ベース材４の一方の面には、ＬＥＤ６、スイッチ８が配置されている。
【００１２】
病理標本型光デバイス２は、ＬＥＤ６として、白色ＬＥＤ６ｗ、青色ＬＥＤ６ｂ、緑色ＬＥＤ６ｇ、及び赤色ＬＥＤ６ｒを備えている。ここで、ＬＥＤ６は、ベース材４の一方の面の略中央部に形成された凹部４ａに配置され、発光時の熱がベース材４に伝達するように、熱伝導グリース等で凹部４ａ内に密着されている。
【００１３】
またスイッチ８として、白色ＬＥＤ６ｗから射出される白色ＬＥＤ光の光量を調整するスイッチ８ｗ、青色ＬＥＤ６ｂから射出される青色ＬＥＤ光の光量を調整するスイッチ８ｂ、緑色ＬＥＤ６ｇから射出される緑色ＬＥＤ光の光量を調整するスイッチ８ｇ、赤色ＬＥＤ６ｒから射出される赤色ＬＥＤ光の光量を調整するスイッチ８ｒを備えている。ここで、スイッチ８ｗ、スイッチ８ｂ、スイッチ８ｇ、スイッチ８ｒは、それぞれＬＥＤ光の光量のレベルを「＋」側または「−」側に変化させる操作部８ｘ、及びＬＥＤ光の光量のレベルを数値で表示する表示部８ｙを備えている。また、スイッチ８ｗ、スイッチ８ｂ、スイッチ８ｇ、スイッチ８ｒは、ＬＥＤ６の点灯、消灯及び光量を制御する図示しない電源制御部に接続されている。
【００１４】
また、ベース材４の所定の位置には、電池１２が配置され、スイッチ８を介してＬＥＤ６に電力を供給する。
【００１５】
なお、ベース材４の裏面の周縁部には、ベース材４の裏面を断面矩形状に切欠き加工したヒートシンク溝４ｂが形成されている。ヒートシンク溝４ｂの断面形状は、矩形状に代えて波型であってもよい。これにより、ベース材４の放熱面積が拡大され、ＬＥＤ６の発光時に発生しベース材４に伝達された熱を効果的に放熱することができる。また、ヒートシンク溝４ｂをベース材４の裏面に設けることにより、ベース材４の表面にカバーグラス１４を取付けることが可能となる。
【００１６】
図３は、第１の実施の形態に係るデジタル顕微鏡装置の構成を示すブロック図である。図３に示すように、デジタル顕微鏡装置２２は、プレパラートまたは病理標本型光デバイス２を載置するステージ２６、ステージ２６に載置されたプレパラートを観察するための顕微鏡部２８、ステージ２６に載置されたプレパラートを下方から照明する照明光の光源３０ａを含む照明部３０を備えている。
【００１７】
ここで、顕微鏡部２８は、プレパラートを所定の倍率で観察する対物レンズ２８ａ、鏡筒部２８ｂ、及び鏡筒部２８ｂの上部に取付けられ対物レンズ２８ａによって結像されたプレパラート上の病理標本の像を撮像する、ＣＣＤ等により構成される撮像素子２８ｄを有するカメラ２８ｃを備えている。
【００１８】
また、照明部３０は、フルカラーＬＥＤ３０ａ、フルカラーＬＥＤ３０ａから射出された照明光を集光するレンズ３０ｂ、レンズ３０ｂで集光された照明光を透過させるフィルタ３０ｃ、フィルタ３０ｃを透過した照明光をステージ２６の方向に反射させるミラー３０ｄを備えている。フルカラーＬＥＤ３０ａは、赤色ＬＥＤ、緑色ＬＥＤ及び青色ＬＥＤを備えて構成されている。
【００１９】
また、デジタル顕微鏡装置２２は、デジタル顕微鏡装置２２の各部を統括的に制御する制御部３４を備えている。制御部３４には、カメラ２８ｃ内の撮像素子２８ｄ、光量制御部３２、電源スイッチ等を含む操作部５０、撮像素子２８ｄにより撮像された画像データに基づく画像等を表示する表示部４０、表示部４０の表示を制御する表示制御部４２及び撮像素子２８ｄにより撮像された画像データを記憶する画像記憶部４８が接続されている。撮像素子２８ｄは、プレパラート上の病理標本を撮像して撮像信号を制御部３４に対して出力する。光量制御部３２は、フルカラーＬＥＤ３０ａが備える赤色ＬＥＤ、緑色ＬＥＤ及び青色ＬＥＤそれぞれの点灯、消灯及び光量を制御する。
【００２０】
なお、図３に示すように、病理標本型光デバイス２の上部近傍には、光ファイバー３８の受光部３８ａが配置され、光ファイバー３８を介して病理標本型光デバイス２のＬＥＤ６から射出された光が光スペクトラムアナライザー３６に伝送される。光スペクトラムアナライザー３６は、光ファイバー３８を介して取得した病理標本型光デバイス２のＬＥＤ６から射出されるＬＥＤ光の波長特性を分析して、出力する。同様に、表示部４０の上部近傍には、光ファイバー３９の一方の端部が配置され、光ファイバー３９を介して表示部４０の画面から射出された光が光スペクトラムアナライザー３６に伝送される。光スペクトラムアナライザー３６は、光ファイバー３９を介して取得した表示部４０に表示される画像の波長特性を分析し、出力する。
【００２１】
次に、図４に示すフローチャートを参照して第１の実施の形態に係る病理標本型光デバイス２を用いて表示部４０に表示される病理標本の画像のカラーバランスを較正するカラーバランス較正処理について説明する。
【００２２】
まず、操作者が操作部５０を介してフルカラーＬＥＤ３０ａの電源をオフすると（ステップＳ１０）、制御部３４は、光量制御部３２を制御してフルカラーＬＥＤ３０ａを消灯する（ステップＳ２０）。
【００２３】
次に、操作者がカバーグラス１４を取り付けた病理標本型光デバイス２をステージ２６上に載置すると（ステップＳ１１）、撮像素子２８ｄは、病理標本型光デバイス２を撮像し、撮像信号を制御部３４に対して出力する。制御部３４は、撮像素子２８ｄにより撮像された病理標本型光デバイス２の画像を表示制御部４２を介して表示部４０に表示する（ステップＳ２１）。
【００２４】
次に、操作者は、光スペクトラムアナライザー３６の電源をオンし（ステップＳ１２）、かつ病理標本型光デバイス２のスイッチ８を操作する（ステップＳ１３）。具体的には、スイッチ８ｗ、スイッチ８ｂ、スイッチ８ｇ、スイッチ８ｒのそれぞれを操作することにより、白色ＬＥＤ６ｗから射出される白色ＬＥＤ光の光量、青色ＬＥＤ６ｂから射出される青色ＬＥＤ光の光量、緑色ＬＥＤ６ｇから射出される緑色ＬＥＤ光の光量、赤色ＬＥＤ６ｒから射出される赤色ＬＥＤ光の光量のそれぞれを調整する。なお、この実施の形態では、青色ＬＥＤ光を用いて表示部４０のカラーバランス較正を行うものとする。従って、操作者はスイッチ８ｗ、８ｇ及び８ｒを操作して白色ＬＥＤ６ｗ、緑色ＬＥＤ６ｇ及び赤色ＬＥＤ６ｒの電源をオフすると共に、スイッチ８ｂを操作して青色ＬＥＤ６ｂの電源をオンし、青色ＬＥＤ６ｂを点灯する。また、操作者はスイッチ８ｂの「＋」を操作することにより青色ＬＥＤ光の光量を増大させる。また、スイッチ８ｂの「−」を操作することにより青色ＬＥＤ光の光量を減少させる。これにより青色ＬＥＤ光の光量を所望の光量とすることができ、表示部８ｙに光量に対応した数値が表示される。
【００２５】
次に、光スペクトラムアナライザー３６は、病理標本型光デバイス２の青色ＬＥＤ６ｂから射出される青色ＬＥＤ光の波長特性（以下、病理標本型光デバイス２の波長特性という。）を分析し、分析結果を出力する。操作者は、光スペクトラムアナライザー３６から出力された病理標本型光デバイス２の波長特性の分析結果を取得する（ステップＳ１４）。
【００２６】
同様に、光スペクトラムアナライザー３６は、表示部４０に表示されている画像の波長特性（表示部４０の波長特性という。）を分析し、分析結果を出力する。即ち、青色ＬＥＤ６ｂから射出される青色ＬＥＤ光は、撮像素子２８ｄにより撮像され、制御部３４により画像データ化され、その画像データに基づく画像として表示部４０に表示される。光スペクトラムアナライザー３６は、表示部４０に表示される青色ＬＥＤ光の画像の波長特性を分析し、分析結果を出力する。操作者は、光スペクトラムアナライザー３６から出力された表示部４０の波長特性の分析結果を取得する（ステップＳ１５）。
【００２７】
次に、操作者は、病理標本型光デバイス２の波長特性と表示部４０の波長特性とを比較する（ステップＳ１６）。そして、比較した結果、病理標本型光デバイス２の波長特性と表示部４０の波長特性とが異なる場合には（ステップＳ１７、Ｙｅｓ）、表示部４０の波長特性が病理標本型光デバイス２の波長特性となるように、表示部４０に表示される画像の輝度及び色度等により構成されるカラーバランスを調整する。具体的には、表示部４０に表示される画像のカラーバランスを調整するために、操作者は操作部５０を操作しカラーバランス調整の指示を行う（ステップＳ１８）。制御部３４は、操作部５０を介した操作者からの調整指示に基づいて、表示制御部４２を制御して表示部４０に表示される画像のカラーバランスを変更する（ステップＳ２２）。これにより、表示部４０に表示される青色ＬＥＤ光の画像の波長特性を病理標本型光デバイス２の青色ＬＥＤ６ｂから射出される青色ＬＥＤ光の波長特性に一致させる。
【００２８】
病理標本型光デバイス２から射出される光は、カバーガラス１４、対物レンズ２８ａ、鏡筒部２８ｂを通過することにより、カバーガラス１４、対物レンズ２８ａ等の光学部材の色の影響を受ける。また、撮像素子２８ｄ及び表示部４０の色再現性の違いにより、病理標本型光デバイス２から射出される光の色と表示部４０に表示される画像の色とが異なることが多い。しかしながら、本実施の形態に係る病理標本型光デバイス２を用いることにより表示部４０に表示される画像のカラーバランス、即ち撮像素子２８ｄから出力される撮像信号に基づき表示される画像のカラーバランスを較正することができる。したがって、上述したような光学部材、撮像素子２８ｄ及び表示部４０の影響を受けた場合であっても、病理標本型光デバイス２から射出される光の色と表示部４０に表示される画像の色とを同一にすることができる。
【００２９】
なお、上述の表示部４０のカラーバランス較正処理においては、カバーガラス１４を取り付けた病理標本型光デバイス２を用いて表示部４０のカラーバランスを較正したが、デジタル顕微鏡装置２２を用いて観察するプレパラートにカバーグラス１４が含まれていない場合には、カバーグラス１４を取り外した病理標本型光デバイス２を用いて表示部４０のカラーバランスを較正してもよい。
【００３０】
次に、図５に示すフローチャートを参照して第１の実施の形態に係る病理標本を照明する照明光のカラーバランスを較正するカラーバランス較正処理について説明する。なお、照明光のカラーバランス較正処理は、上述の表示部４０のカラーバランス較正処理の後に行う。
【００３１】
表示部４０のカラーバランス較正処理を行った後、操作者は、病理標本型光デバイス２をステージ２６から撤去する（ステップＳ３０）。そして、操作者が操作部５０を操作してフルカラーＬＥＤ３０ａの電源をオンする（ステップＳ３１）。これにより制御部３４は、光量制御部３２を制御してフルカラーＬＥＤ３０ａを点灯する（ステップＳ４０）。なお、この実施の形態では、青色ＬＥＤ光を用いて照明光のカラーバランス較正を行うものとする。従って、操作者は、フルカラーＬＥＤ３０ａが青色ＬＥＤ光を発するように操作部５０を操作する。制御部３４は、操作部５０を介した操作者からの調整指示に基づいて、光量制御部３２を制御してフルカラーＬＥＤ３０ａを構成する赤色ＬＥＤ及び緑色ＬＥＤの光量を０にし、青色ＬＥＤの光量を調整する。
【００３２】
光量制御部３２により光量を調整され、フルカラーＬＥＤ３０ａから射出された光は、撮像素子２８ｄにより撮像され、制御部３４により画像データ化され、その画像データに基づく画像として表示部４０に表示される。光スペクトラムアナライザー３６は、表示部４０に表示されている画像の波長特性（以下、調整前の波長特性という。）を分析し、分析結果を出力する。操作者は、光スペクトラムアナライザー３６から出力された調整前の波長特性の分析結果を取得する（ステップＳ３２）。
【００３３】
次に、操作者は、調整前の波長特性と、図４のステップＳ１８においてカラーバランス調整された後の表示部４０の波長特性（以下、目標の波長特性という。）とを比較する（ステップＳ３３）。そして、比較した結果、調整前の波長特性と目標の波長特性とが異なる場合には（ステップＳ３４、Ｙｅｓ）、調整前の波長特性が目標の波長特性となるように、操作者は、フルカラーＬＥＤ３０ａを構成する赤色ＬＥＤ、緑色ＬＥＤ及び青色ＬＥＤそれぞれの光量を調整する。具体的には、フルカラーＬＥＤ３０ａを構成する赤色ＬＥＤ、緑色ＬＥＤ及び青色ＬＥＤそれぞれの光量を調整するために、操作者は操作部５０を操作し光量調整の指示を行う（ステップＳ３５）。制御部３４は、操作部５０を介した操作者からの調整指示に基づいて、光量制御部３２を制御してフルカラーＬＥＤ３０ａを構成する赤色ＬＥＤ、緑色ＬＥＤ及び青色ＬＥＤそれぞれの光量を変更する（ステップＳ４１）。これにより、調整前の波長特性を目標の波長特性に一致させる。
【００３４】
調整前の波長特性を目標の波長特性に一致させることにより、フルカラーＬＥＤ３０ａから射出される光の色と表示部４０に表示される画像の色とが同一になる。即ち、フルカラーＬＥＤ３０ａから射出されステージ２６上を照明する照明光の色と、表示部４０に表示される画像の色とが同一になる。
【００３５】
フルカラーＬＥＤ３０ａから射出される光は、レンズ３０ｂ、フィルタ３０ｃ、ミラー３０ｄを通過することにより、これら光学部材の色の影響を受ける。しかしながら、上述したようにフルカラーＬＥＤ３０ａから射出される照明光のカラーバランスを較正することにより、上述したような光学部材の影響があったとしても、フルカラーＬＥＤ３０ａから射出されステージ２６上を照明する照明光の色と、表示部４０に表示される画像の色とを同一にすることができる。
【００３６】
第１の実施の形態に係る病理標本型光デバイス２によれば、表示部４０に表示される画像のカラーバランスを容易に較正することができる。即ち、病理標本の色と表示部４０に表示される画像の色を一致させるために、病理標本型光デバイス２を用いて表示部４０に表示される画像のカラーバランス較正処理を正確かつ容易に行うことができる。
【００３７】
次に、図面を参照して第２の実施の形態に係る病理標本型光デバイスについて説明する。この第２の実施の形態に係る病理標本型光デバイスは、第１の実施の形態に係る病理標本型光デバイス２にスイッチ８を遠隔操作する外部のコントローラ等と通信可能な通信部を追加したものである。従って、第２の実施の形態では、第１の実施の形態と異なる部分について詳細に説明し、重複する部分については適宜説明を省略する。
【００３８】
図６は、病理標本型光デバイス１０２を上方から視た図である。図６に示すように、病理標本型光デバイス１０２には病理標本型光デバイス１０２の電源制御部と電気的に接続された通信部１０が配置されている。ここで、通信部１０は、ＷｉＦｉ（登録商標）、Bluetooth（登録商標）等の無線通信により、図示しない外部のコントローラとの間で通信を行うことが可能である。通信部１０は、コントローラからの受信した操作信号を電源制御部に伝達し、電源制御部は、受信した操作信号に基づいてＬＥＤ６の点灯、消灯及び光量を制御する。即ち、操作者は、コントローラを用いて病理標本型光デバイス１０２のスイッチ８を遠隔操作することができる。なお、表示部８ｙには、スイッチ８を直接操作した場合のみ光量に対応した数値が表示される。即ち、外部のコントローラを用いてスイッチ８を遠隔操作した場合には、操作者が表示部８ｙの表示を視認しないことから、表示部８ｙへの表示機能を停止させることができる。
【００３９】
病理標本型光デバイス１０２は、病理標本型光デバイス１０２をステージ上に載置した後、操作者がスイッチ８を操作することができない構成を有する顕微鏡装置（ホールスライドイメージ作成装置等）の表示部に表示される病理標本の画像のカラーバランスを較正する際に用いられる。以下、病理標本型光デバイス１０２を用いて、ホールスライドイメージ作成装置の表示部に表示される病理標本の画像のカラーバランスを較正する場合を例に挙げて説明する。
【００４０】
まず、ホールスライドイメージ作成装置が備える、病理標本照明用のフルカラーＬＥＤを消灯する。次に、操作者が光路上から退避されているステージ上に病理標本型光デバイス１０２を載置した後、ステージは移動され光路上に配置される。ステージが光路上に配置されると、ホールスライドイメージ作成装置が備える撮像素子により撮像された病理標本型光デバイス１０２の画像が表示部に表示される。なお、ステージが光路上に配置された状態においては、操作者は、病理標本型光デバイス１０２のスイッチ８を直接操作することができない。
【００４１】
次に、操作者は、光スペクトラムアナライザーの電源をオンし、外部のコントローラを用いてスイッチ８を遠隔操作する。具体的には、通信部１０がコントローラから送信された操作信号を受信し、病理標本型光デバイス１０２の電源制御部に対して制御信号を出力し、病理標本型光デバイス１０２の電源制御部が制御信号に基づいてＬＥＤ６の点灯、消灯及び光量を制御する。なお、この実施の形態では、青色ＬＥＤ光を用いて表示部４０のカラーバランス較正を行うものとする。従って、操作者は外部のコントローラを用いてスイッチ８ｗ、８ｇ及び８ｒを遠隔操作して白色ＬＥＤ６ｗ、緑色ＬＥＤ６ｇ及び赤色ＬＥＤ６ｒの電源をオフすると共に、スイッチ８ｇを遠隔操作して青色ＬＥＤ６ｂの電源をオンし、青色ＬＥＤ６ｂを点灯する。また、操作者は、外部のコントローラを用いてスイッチ８ｂの「＋」を遠隔操作することにより青色ＬＥＤ光の光量を増大させる。また、外部のコントローラを用いてスイッチ８ｂの「−」を遠隔操作することにより青色ＬＥＤ光の光量を減少させる。これにより青色ＬＥＤ光の光量を所望の光量とすることができる。その後の処理については、図４に示すステップＳ１４〜Ｓ１８及びＳ２２と同一のため、説明を省略する。
【００４２】
病理標本を照明する照明光のカラーバランスを較正する際には、光路上に配置されているステージを移動させ、ステージ上に配置されている病理標本型光デバイス１０２を撤去する。その後の処理については、図５に示すステップＳ３１〜Ｓ３５及びＳ４０〜Ｓ４１と同一のため、説明を省略する。
【００４３】
第２の実施の形態に係る病理標本型光デバイス１０２によれば、コントローラを用いた遠隔操作が可能であるため、スイッチ８を直接操作することができなくてもＬＥＤ６の点灯、消灯、及びＬＥＤ６から射出されるＬＥＤ光の光量のレベルの変更を行うことが可能である。また、表示部に表示される画像のカラーバランスを容易に較正することができる。即ち、病理標本の色と表示部に表示される画像の色を一致させるために、病理標本型光デバイス１０２を用いて表示部に表示される画像のカラーバランス較正処理を正確かつ容易に行うことができる。
【００４４】
なお、上述の各実施の形態においては、照明光のカラーバランスを較正する際、病理標本型光デバイスをステージ上から撤去しているが、例えば図７に示すような病理標本型光デバイス１０４を用いて、病理標本型光デバイスをステージ上から撤去せずに照明光のカラーバランスを較正することもできる。病理標本型光デバイス１０４上には、図７に示すように、窓１０５が設けられている。この場合には、表示部に表示される画像のカラーバランスを較正した後、病理標本型デバイス１０４を載置したステージを移動させ、窓１０５を光路上に配置する。そして、窓１０５を通過した照明光の波長特性を取得し、照明光のカラーバランスを較正する。
【００４５】
また、上述の各実施の形態においては、ベース材４の表面に４種類のＬＥＤ６を配置する場合を例に説明しているが、ベース材４の表面に１種類、または２種類、または３種類のＬＥＤを配置してもよい。即ち、ベース材４の表面に１種類のＬＥＤ（例えば白色ＬＥＤ６ｗのみ）、２種類のＬＥＤ（例えば赤色ＬＥＤ６ｒ及び緑色ＬＥＤ６ｇのみ）または３種類のＬＥＤ（例えば赤色ＬＥＤ６ｒ、緑色ＬＥＤ６ｇ及び青色ＬＥＤ６ｂ）を配置した病理標本型光デバイスを用いて表示部４０のカラーバランスを較正してもよい。この場合、製造コストを低減でき、安価な病理標本型光デバイスを提供することができる。
【００４６】
また、上述の各実施の形態において、ベース材４に伝達された熱を更に効果的に放熱できるように、ベース材４に複数の貫通孔を形成してもよい。
【００４７】
また、上述の各実施の形態において、ベース材４の裏面に断面が凹状に加工された凹陥部を複数形成してもよい。これにより、ベース材４の放熱効率、及びベース材４の強度を高めることができる。
【００４８】
また、上述の各実施の形態に係る病理標本型光デバイスにおいては、アルミ材等の金属により形成されたベース材を備えているが、金属以外の材料により形成されたベース材を用いてもよい。
【００４９】
次に、図面を参照して第３の実施の形態に係るデジタル顕微鏡装置について説明する。図８は、第３の実施の形態に係るデジタル顕微鏡装置の構成を示すブロック図である。なお、第３の実施の形態に係るデジタル顕微鏡装置については、図３に示すデジタル顕微鏡装置２２の構成と同一の構成には同一の符号を付し、その説明を省略する。
【００５０】
図８に示すように、デジタル顕微鏡装置５２は、病理標本化される病理検体を染色する染色試薬の種類、病理検体の種類及び病理標本の色の情報を記憶する記憶部５４を備えており、記憶部５４は、制御部３４に接続されている。病理標本の色、具体的には病理標本の染色された部分の色は、染色試薬の種類、病理検体の種類により定まり、同一の染色試薬により染色された場合であっても病理検体が異なると病理標本の染色された部分の色が異なる場合がある。また、同一の病理検体であっても染色試薬が異なると病理標本の染色された部分の色が異なる場合がある。記憶部５４は、染色試薬の種類及び病理検体の種類に対応する病理標本の染色された部分の色の一覧であるテーブルを記憶している。
【００５１】
制御部３４は、操作部５０により染色試薬の種類等が指定されると、記憶部５４に記憶されている情報に基づいてフルカラーＬＥＤ３０ａから射出される照明光の色を決定し、光量制御部３２を制御してフルカラーＬＥＤ３０ａから射出される照明光の色を調整する。
【００５２】
以下、第３の実施の形態に係るデジタル顕微鏡装置５２を用いて、染色試薬の色に基づいてフルカラーＬＥＤ３０ａから射出される照明光の色を調整する処理について説明する。
【００５３】
まず、操作者は、操作部５０を操作して、プレパラート２４の病理標本に使用された染色試薬の種類及び病理検体の種類を入力する。制御部３４は、操作部５０により染色試薬の種類及び病理検体の種類が指定されると、記憶部５４に記憶されているテーブルから指定された染色試薬の種類及び病理検体の種類に対応する病理標本の染色された部分の色を特定する。そして、フルカラーＬＥＤ３０ａから射出される照明光の色が病理標本の染色された部分の色、または病理標本の染色された部分の色の補色となるように、光量制御部３２を制御して、フルカラーＬＥＤ３０ａを構成する赤色ＬＥＤ、緑色ＬＥＤ及び青色ＬＥＤのそれぞれの光量を調整する。
【００５４】
操作者は、操作部５０を操作して、フルカラーＬＥＤ３０ａから射出される照明光の色を病理標本の染色された部分の色とするか、病理標本の染色された部分の色の補色とするかを入力することができる。制御部３４は、操作部５０からの入力信号に基づいて、フルカラーＬＥＤ３０ａから射出される照明光の色を特定し、調整する。なお、染色された部分の色と同一の色の照明光により病理標本を照明すると、表示部４０上においてその染色された部分を視認することができなくなる。一方、染色された部分の色の補色と同一の色の照明光により病理標本を照明すると、表示部４０上においてその染色された部分を鮮明に視認することができるようになる。
【００５５】
第３の実施の形態に係るデジタル顕微鏡装置５２によれば、フルカラーＬＥＤ３０ａから射出される照明光の色を病理標本の染色された部分の色に調整することができるため、照明光の色に染色された部分を表示部４０に表示させないようにすることができる。また、フルカラーＬＥＤ３０ａから射出される照明光の色を病理標本の染色された部分の色の補色に調整することができるため、照明光の色の補色に染色された部分を表示部４０に鮮明に表示することができる。
【００５６】
なお、上述の実施の形態においては、操作者が染色試薬の種類及び病理検体の種類を入力し、制御部３４が病理標本の染色された部分の色を特定しているが、操作者が操作部５０を操作して病理標本の染色された部分の色を直接入力することもできる。この場合には、制御部３４は、操作部５０から病理標本の染色された部分の色を取得すると、フルカラーＬＥＤ３０ａから射出される照明光の色が染色された部分の色、または染色された部分の色の補色となるように、光量制御部３２を制御してフルカラーＬＥＤ３０ａから射出される照明光の色を調整する。
【００５７】
また、上述の実施の形態においては、デジタル顕微鏡装置５２を例に挙げて説明したが、病理標本を照明する照明装置としてフルカラーＬＥＤを備えたデジタル顕微鏡装置以外の顕微鏡（ホールスライドイメージ作成装置等を含む）についても本発明を適用することができる。
【符号の説明】
【００５８】
２，１０２…病理標本型光デバイス、４…ベース材、４ａ…凹部、４ｂ…ヒートシンク溝、６…ＬＥＤ、６ｗ…白色ＬＥＤ、６ｂ…青色ＬＥＤ、６ｇ…緑色ＬＥＤ、６ｒ…赤色ＬＥＤ、８…スイッチ、８ｂ…スイッチ、８ｇ…スイッチ、８ｒ…スイッチ、８ｘ…操作部、８ｙ…表示部、１０…通信部、１２…電池、２２，５２…デジタル顕微鏡装置、３２…光量制御部、４０…表示部、５０…操作部、５４…記憶部。
【図１】
2016145867.tif 000003
【図２】
2016145867.tif 000004
【図３】
2016145867.tif 000005
【図４】
2016145867.tif 000006
【図５】
2016145867.tif 000007
【図６】
2016145867.tif 000008
【図７】
2016145867.tif 000009
【図８】
2016145867.tif 000010